(57)【要約】【課題】２つのケースの結合部における水密性を向上させたカメラ用防水ケース及び防水カメラを提供する。【解決手段】このカメラ用防水ケース１は、カメラまたはレンズ付きフィルムユニットを内部に収容可能な第１ケース２１と第２ケース２２とを結合部２０で結合し、結合された第１ケースと第２ケースとを外側部材５１，６１が結合部を覆うようにして水密に固定する。【選択図】　図２
2004117631.tif 000002
【特許請求の範囲】
【請求項１】
カメラまたはレンズ付きフィルムユニットを内部に収容可能な第１ケースと第２ケースとを結合部で結合し、前記結合された第１ケースと第２ケースとを外側部材が前記結合部を覆うようにして水密に固定することを特徴とするカメラ用防水ケース。
【請求項２】
前記外側部材は前記結合された第１ケースと第２ケースとに取り付けられる第１外側部材と第２外側部材とを備え、
前記結合部は直線状に形成され、
前記第１外側部材及び前記第２外側部材は前記直線状の結合部を覆うように互いに対向する方向から前記第１ケース及び前記第２ケースに取り付けられることを特徴とする請求項１に記載のカメラ用防水ケース。
【請求項３】
前記結合部は前記第１ケースの外周から突き出た鍔部と前記第２ケースの外周から突き出た鍔部とが結合して突き出し部を構成し、
前記外側部材の内面に設けた溝部内に前記突き出し部が位置することで前記第１ケースと前記第２ケースとが水密に結合されることを特徴とする請求項１または２に記載のカメラ用防水ケース。
【請求項４】
前記溝部は、前記第１外側部材及び前記第２外側部材の互いに対向する各面に設けたことを特徴とする請求項３に記載のカメラ用防水ケース。
【請求項５】
前記第１ケースの鍔部と前記第２ケースの鍔部とが嵌合構造により結合することを特徴とする請求項３または４に記載のカメラ用防水ケース。
【請求項６】
前記第１ケースの鍔部及び前記第２ケースの鍔部の一方に設けた溝内に水密部材を配置し他方に設けた凸部で前記水密部材を固定することを特徴とする請求項３，４または５に記載のカメラ用防水ケース。
【請求項７】
前記第１外側部材と前記第２外側部材は、互いに対向する端部にそれぞれ係合部を有し、前記係合部の係合により前記第１外側部材と第２外側部材とを結合することで前記第１ケース及び前記第２ケースに対して固定されることを特徴とする請求項２乃至６のいずれか１項に記載のカメラ用防水ケース。
【請求項８】
前記係合させた係合部は前記各係合部の少なくとも一方における破断により前記第１外側部材と第２外側部材との結合を解除することを特徴とする請求項７に記載のカメラ用防水ケース。
【請求項９】
前記第１ケース及び前記第２ケースは前記第１外側部材及び前記第２外側部材の取り付け時の移動を案内する案内部をそれぞれ有し、
前記第１外側部材及び前記第２外側部材は前記案内部にて案内される被案内部をそれぞれ有することを特徴とする請求項２乃至８のいずれか１項に記載のカメラ用防水ケース。
【請求項１０】
前記第１ケース及び前記第２ケースの少なくとも一方は、前記第１外側部材及び第２外側部材を前記第１ケース及び前記第２ケースに取り付けるときの逆付けを防止する逆付け防止構造を備えることを特徴とする請求項２乃至９のいずれか１項に記載のカメラ用防水ケース。
【請求項１１】
請求項１乃至１０のいずれか１項に記載のカメラ用防水ケース内にカメラまたはレンズ付きフィルムユニットを収容したことを特徴とする防水カメラ。
【発明の詳細な説明】
【０００１】
【発明の属する技術分野】
本発明は、カメラを水中等で使用するときに好適なカメラ用防水ケース及びこの防水ケースを用いた防水カメラに関する。
【０００２】
【従来の技術】
カメラを水中で使用するために水密に収容するカメラ用防水ケースとして、例えば、前面容器と背面容器とをゴムパッキン等で密閉するように結合した防水ケースが公知である（例えば、特開２００１−１００２９２公報）。同公報（同公報の図２参照）では、防水ケースを前面部、背面部、及び前面部と背面部との結合部を水密にするパッキンから構成し、前面部の複数箇所に設けられた係止爪と背面部の被係止片との係止により前面部と背面部とを爪結合させている。
【０００３】
しかし、かかる爪結合によると、前面部と背面部との結合が部分的に行われる結果、不充分となり、パッキン結合部における水密性が不充分となってしまう。特に、水中の水深の深いところで使用する場合に、高水圧に対し満足な水密性を得ることが困難である。
【０００４】
【特許文献１】
特開２００１−１００２９２公報
【０００５】
【特許文献２】
特開２００１−９１９９５公報
【０００６】
【発明が解決しようとする課題】
本発明は、２つのケースの結合部における水密性を向上させたカメラ用防水ケース及び防水カメラを提供することを目的とする。
【０００７】
【課題を解決するための手段】
上記目的を達成するために、本発明によるカメラ用防水ケースは、カメラまたはレンズ付きフィルムユニットを内部に収容可能な第１ケースと第２ケースとを結合部で結合し、前記結合された第１ケースと第２ケースとを外側部材が前記結合部を覆うようにして水密に固定することを特徴とする。
【０００８】
このカメラ用防水ケースによれば、第１ケースと第２ケースとの結合部が外側部材で覆われ水密に固定されるので、結合部における水密性が向上する。
【０００９】
上記カメラ用防水ケースは、前記外側部材は前記結合された第１ケースと第２ケースとに取り付けられる第１外側部材と第２外側部材とを備え、前記結合部は直線状に形成され、前記第１外側部材及び前記第２外側部材は前記直線状の結合部を覆うように互いに対向する方向から前記第１ケース及び前記第２ケースに取り付けられることが好ましい。
【００１０】
また、前記結合部は前記第１ケースの外周から突き出た鍔部と前記第２ケースの外周から突き出た鍔部とが結合して突き出し部を構成し、前記外側部材の内面に設けた溝部内に前記突き出し部が位置することで前記第１ケースと前記第２ケースとが水密に結合されることが好ましい。結合部の突き出し部が外側部材の溝部内に位置することで結合部の結合が溝部で良好に維持される。
【００１１】
この場合、前記溝部は、前記第１外側部材及び前記第２外側部材の互いに対向する各面に設けることが好ましく、第１外側部材及び第２外側部材を結合された第１ケースと第２ケースに取り付けると、結合部の突き出し部が外側部材の溝部内に位置するので、取り付けが簡単である。
【００１２】
また、前記第１ケースの鍔部と前記第２ケースの鍔部とが嵌合構造により結合することで、結合部の結合が一層確実となり、水密性が更に向上する。
【００１３】
また、前記第１ケースの鍔部及び前記第２ケースの鍔部の一方に設けた溝内に水密部材を配置し他方に設けた凸部で前記水密部材を固定することが好ましい。
【００１４】
また、前記第１外側部材と前記第２外側部材は、互いに対向する端部にそれぞれ係合部を有し、前記係合部の係合により前記第１外側部材と第２外側部材とを結合することで前記第１ケース及び前記第２ケースに対して固定されることが好ましい。これにより、結合された第１ケースと第２ケースとに対して第１外側部材及び第２外側部材を確実に固定できるので、結合部の結合を良好に維持できる。なお、結合された第１ケースと第２ケースに第１外側部材と第２外側部材とを取り付けるとき、係合部同士が係合するように構成できる。
【００１５】
この場合、前記係合させた係合部は前記各係合部の少なくとも一方における例えばねじ切り破断により前記第１外側部材と第２外側部材との結合を解除するように構成できる。これにより、係合部の係合が確実となるため、第１外側部材及び第２外側部材の固定が一層確実となり、結合部の結合を更に良好に維持できる。
【００１６】
また、前記第１ケース及び前記第２ケースは前記第１外側部材及び前記第２外側部材の取り付け時の移動を案内する案内部をそれぞれ有し、前記第１外側部材及び前記第２外側部材は前記案内部にて案内される被案内部をそれぞれ有することが好ましい。これにより、第１外側部材及び第２外側部材の第１ケース及び第２ケースへの取り付けが簡単になるとともに、案内部と被案内部とにより第１外側部材及び第２外側部材が第１ケース及び第２ケースから外れることを防止できる。
【００１７】
また、前記第１ケース及び前記第２ケースの少なくとも一方は、前記第１外側部材及び第２外側部材を前記第１ケース及び前記第２ケースに取り付けるときの逆付けを防止する逆付け防止構造を備えることにより、ユーザが誤って反対方向に無理に取り付けてしまうことを未然に防止できる。
【００１８】
本発明による防水カメラは、上述のカメラ用防水ケース内にカメラまたはレンズ付きフィルムユニットを収容したものである。この防水カメラによれば、防水ケースの水密性が向上するので、水中や水辺等で使用してもカメラまたはレンズ付きフィルムユニットのカメラ機能を損なうことなく安定して続けて使用できる。
【００１９】
【発明の実施の形態】
以下、本発明による実施の形態について図面を用いて説明する。図１は本実施の形態による、レンズ付きフィルムユニットを収容するカメラ用防水ケースを示す斜視図である。図２は図１のカメラ用防水ケースを外側部材が離れた状態で示す前面側から見た分解斜視図であり、図３は同じく背面側から見た分解斜視図である。
【００２０】
図１に示すように、カメラ用防水ケース１は、内部にレンズ付きフィルムユニットを収容する防水ケース１０と、防水ケース１０の上側半分に取り付けられた第１外側部材５１と、防水ケース１０の下半分に取り付けられた第２外側部材６１と、を備える。
【００２１】
図１乃至図３のように、防水ケース１０は、内部に収容するレンズ付きフィルムユニットの各カメラ機能に対応して、撮影窓部１１と、フィルムを巻き上げるフィルム巻き上げノブ１２と、絞り切換のための絞り操作部材１３と、シャッタボタンを押圧するためのシャッタ操作部材１４と、ファインダ窓部１５と、ファインダ覗き部１６と、を備える。
【００２２】
防水ケース１０は、光透過性のプラスチック材料から略矩形の平箱状に構成され、前面側の第１ケース２１と背面側の第２ケース２２とを結合部２０で水密構造となるように結合し、レンズ付きフィルムユニットを収容可能な内部空間を形成している。結合部２０は、防水ケース１０の上面、両側面及び下面の全周を包囲して突き出し部として直線状に形成されている。
【００２３】
第１外側部材５１及び第２外側部材６１は、光透過性のプラスチック材料から形成され、外側部材を構成し、防水ケース１０の上面、両側面及び下面を包囲するように取り付けられる。第１外側部材５１及び第２外側部材６１の各内面には溝部５２（図２，図３の破線で示す）及び６２が防水ケース１０の結合部２０に対応する位置で長手方向に延びるように形成されている。
【００２４】
また、第１外側部材５１と第２外側部材６１とを防水ケース１０に取り付けたとき、第１外側部材５１の両側面端部に設けられた第１係合部５３と、第２外側部材６１の両側面端部に設けられた第２係合部６３とが互いに対向し係合して係合部６０を形成する。この係合部６０により外側部材の外れ、特に図の縦方向（側面に沿った方向）に外れてしまうことを防止できる。
【００２５】
また、図２，図３のように、防水ケース１０の第１ケース２１の前面には、それぞれ平面的に所定形状で外側部材の厚み程度に凹んだ複数の凹部２１ａ、２１ｂ、２１ｃが形成され、同様に第２ケース２２の背面には、それぞれ平面的に所定形状で外側部材の厚み程度に凹んだ複数の凹部２２ａ、２２ｂ、２２ｃが形成されている。そして、第１外側部材６１には、防水ケース１０側の凹部２１ａ、２２ｂに対応してそれぞれ相補的形状となるように張り出した張り出し部５１ａ、５１ｂが形成され、同様に第２外側部材５２には、防水ケース１０側の凹部２１ｂ、２１ｃ、２２ａ、２２ｃに対応してそれぞれ相補的形状となるように張り出した張り出し部６１ｂ、６１ｃ、６１ａ、６２ｃが形成されている。
【００２６】
第１外側部材５１と第２外側部材６１とを防水ケース１０に取り付けると、防水ケース１０側の凹部２１ａ、２２ｂ、２１ｂ、２１ｃ、２２ａ、２２ｃにそれぞれ外側部材の張り出し部５１ａ、５１ｂ、６１ｂ、６１ｃ、６１ａ、６２ｃが位置するので、図１に示すように、カメラ用防水ケース１の外面全体は、凹凸の殆どない滑らかな外観形状を構成する。
【００２７】
次に、防水ケース１０を構成する前面側の第１ケース２１及び背面側の第２ケース２２について図４，図５，図６を参照して説明する。図４は第１ケースを内面側から見た図であり、図５は第２ケースを内面側から見た図である。図６は第１ケースと第２ケースとを結合したときの結合部の断面図である。
【００２８】
図４のように、第１ケース２１は、平箱凹状に形成され、外周端部の全周にわたり上面、両側面及び下面側に突き出るようにして設けられた鍔部２３と、鍔部２３の内面側近傍に全周にわたり第２ケース２２側に突き出るようにして設けられた凸部２４と、を有する。また、第１ケース２１には、図１乃至図３に示すフィルム巻き上げノブ１２、絞り操作部材１３及びシャッタ操作部材１４に対応して、巻き上げノブ用孔２５、絞り操作部材の取り付け部２６、及びシャッタ用孔２９が形成されている。
【００２９】
図５のように、第２ケース２２は、トレイ状に第１ケース２１の外周形状に対応して形成され、外周端部の全周にわたり鍔部２３と対応して突き出るようにして設けられた鍔部２７と、鍔部２７の内面側近傍に全周にわたりゴムパッキン等からなる水密部材３０（図６）が収められ凸部２４が入り込むように凹状に形成された溝２８と、を有する。
【００３０】
図６のように、第２ケース２２を第１ケース２１に結合部２０で結合すると、第２のケースの溝２８内に水密部材３０を収めた状態で第１ケース２１の凸部２４が溝２８内の水密部材３０を外周外側に押し広げるようにして溝２８に嵌り込むことで、水密部材３０が溝２８内の外周側内面２８ａに押し付けられて弾性的に変形し、断面円形状が扁平状に押し潰される。このようにして、凸部２４が全周で溝２８に嵌り込み、水密部材３０が溝２８の全周にわたって弾性変形し溝２８内に密着することで、第１ケース２１と第２ケース２２とが結合部２０で嵌合し水密に結合される。
【００３１】
次に、外側部材の係合部６０について図７，図８を参照して説明する。図７は第２外側部材６１の第２係合部６３を示す部分斜視図であり、図８は、図１の係合部６０の係合状態を縦方向に切断し内面側から見た図である。
【００３２】
図７、図８のように、第２外側部材６１の第２係合部６３は、第２外側部材６１の側端部から上部に半円状に突き出たリング状部６９と、リング状部６９の内側に側面側に突き出て円形状に形成された円形突き出し部６４と、リング状部６９とその内周側の円形突き出し部６４との間に互いを分断するように円周上に分割されて形成された複数のリング状孔６６と、を有する。
【００３３】
第２係合部６３は、更に、リング状部６９と円形突き出し部６４とを複数のリング状孔６６間で比較的容易に破断可能なサイズで連結する破断可能連結部６７と、第２外側部材６１の側端部から下方に形成され側面側に半円状に突き出てリング状部６９よりも大径の半円状凸部６８と、を有する。
【００３４】
また、図２，図３，図８のように、第１外側部材５１の第１係合部５３は、第１外側部材５１の側端部から下部に半円状に突き出たリング状部５４と、リング状部５４の内周に円形状に形成された係合孔５５と、を有する。リング状部５４は、図８のように、第１外側部材５１の側面側に突き出ており、係合孔５５内に第２係合部６３の円形突き出し部６４が入り込むとともに半円状凸部６８の内周側に位置し、この位置で互いが係合するようになっている。
【００３５】
外側部材の第１係合部５３と第２係合部６３とが係合すると、図１、図８のように、第１係合部５３側のリング状部５４が第２係合部６３のリング状部６９や複数のリング状孔６６を覆うように位置し、第２係合部６３側の円形突き出し部６４だけが係合孔５５を通して側面側に露出する。このため、上述のように形成された係合部６０での係合を外部からの手操作では解除できないようになっている。
【００３６】
この場合、第２係合部６３の円形突き出し部６４の直径方向には細長孔６５が形成されており、細長孔６５にマイナスドライバ等を差し込み回すことで連結部６７を比較的容易にねじ切り破断できるようになっており、これにより、係合部６０における係合を解除できる。
【００３７】
次に、防水ケース１０に第１外側部材５１及び第２外側部材６１を取り付けるときの案内構造及び逆付け防止構造について図９等を参照して説明する。図９は防水ケースを第１のケース前面側から見た部分斜視図である。
【００３８】
図２，図３，図９のように、防水ケース１０には、第１のケース２１の前面の両側端の近傍に縦方向に延びる案内溝３２，３３が縦方向に形成されており、同様に第２のケース２２の背面の両側端の近傍に縦方向に延びる案内溝３１，３４が縦方向に延びるようにして形成されている。各案内溝３１乃至３４は外側部材側の案内凸部が入り込むことができるようにそれらの溝端が開放されている。
【００３９】
一方、外側部材には、図２，図３の第２外側部材６１のように、内面側の案内溝３１乃至３４に対応する位置に縦方向に延びるようにして案内凸部７１，７２，７３，７４が形成されている。第１外側部材５１の内面にも同様の案内凸部が案内溝３１乃至３４に対応して設けられている。
【００４０】
上述のような防水ケース１０側の案内溝３１乃至３４と外側部材側の案内凸部７１乃至７４とから構成される案内構造によれば、第１外側部材５１及び第２外側部材６１を防水ケース１０に取り付けるとき、防水ケース１０の案内溝３１乃至３４に外側部材側の案内凸部７１乃至７４が入り込んで案内するので、取付けを容易かつ確実に行うことができる。
【００４１】
また、案内凸部７１，７２，７３，７４の各位置を、例えば第２外側部材６１を、１８０度反対にして誤って取り付けようとしたとき、また第１外側部材５１と間違って上部に取り付けようとしたときのように、反対取り付け及び部材間違いのいずれの場合にも案内溝とずれる位置関係とし、正規の案内溝３１，３２，３３，３４だけに案内されるようにすることで、逆付け防止構造を構成できる。
【００４２】
また、案内溝３１，３２，３３，３４の各位置を反対取り付け及び部材間違いの場合に案内凸部とずれる位置関係とすることで同様の逆付け防止構造を構成できる。
【００４３】
また、上述の案内構造によれば、第１外側部材５１及び第２外側部材６１を防水ケース１０に取り付けたとき、防水ケース１０の案内溝３１乃至３４に外側部材側の案内凸部７１乃至７４がそれぞれ入り込んでいるので、外側部材の外れ、特に、防水ケース１０の横方向に広げられて外れることを防止する外側部材の外れ防止構造をも構成する。
【００４４】
また、上述のように、防水ケース１０の表面に形成された複数の凹部２１ａ、２１ｂ、２１ｃ、２２ａ、２２ｂ、２２ｃに、図１，図２，図３に示すように、外側部材の張り出し部５１ａ、５１ｂ、６１ｂ、６１ｃ、６１ａ、６２ｃがはまり込んで位置するとき、反対取り付け及び部材間違いの場合に、各凹部及び各張り出し部をはまり込み不可能または隙間ができるような形状とすることで、逆付け防止構造を構成してもよい。
【００４５】
次に、上述の防水ケースの組立て及び外側部材の防水ケースへの取付けについて図１乃至図１０を参照して説明する。図１０は外側部材を防水ケースに取付けたときの要部断面図である。
【００４６】
まず、図４のような第１ケース２１内に、図１乃至図３の巻き上げノブ１２と、絞り操作部材１３及びシャッタ操作部材１４を取り付けてからレンズ付きフィルムユニットを収め、図５の第２ケース２２を図６のようにはめ込んで結合し、防水ケース１０を得る。
【００４７】
次に、図２，図３のように、第２の外側部材６１を防水ケース１０の下面側から差し込むようにして取り付け、そして第１の外側部材５１を防水ケース１０の上面側から差し込むようにして取り付ける。このとき、第１の外側部材５１の第１係合部５３のリング状部５４が弾性変形し第２の外側部材６１の第２係合部６３の円形突き出し部６４を越え、図８のように、リング状部５４の内周の係合孔５５内に円形突き出し部６４がはめ込まれる。このようにして係合部６０が形成され、第１の外側部材５１と第２の外側部材６１とが一体となり外側部材を形成し、両者を引き離すことができない。
【００４８】
そして、図１，図８のように、リング状部５４が第２係合部６３のリング状部６９や複数のリング状孔６６を覆うとともに円形突き出し部６４だけが係合孔５５を通して側面側に露出する。これにより、係合部６０における係合を外部からの手操作では解除できないので、第１の外側部材５１と第２の外側部材６１とが不測に外れてしまうことを防止できる。
【００４９】
なお、第１の外側部材５１と第２の外側部材６１とを防水ケース１０から取り外すときは、側面側に露出した円形突き出し部６４の細長孔６５にマイナスドライバ等を差し込み回すことで連結部６７をねじ切り破断し、円形突き出し部６４を除去することで係合部６０における係合を解除する。
【００５０】
また、第１の外側部材５１及び第２の外側部材６１を防水ケース１０に取り付けると、図１０のように防水ケース１０の側面側に突き出た結合部２０がほぼ全周にわたって第１の外側部材５１及び第２の外側部材６１の内面にある溝部５２，６２内に収まる。これにより、防水ケース１０の結合部２０を溝部５２，６２で覆うようにしてほぼ全周にわたって固定でき、更に図６のような結合部２０の結合を溝部５２，６２で良好に維持できるので、防水ケース１０の結合部２０における水密性を向上できる。
【００５１】
また、第２ケース２２と第１ケース２１との結合部２０は第２のケースの溝２８内に第１ケース２１の凸部２４が嵌り込む嵌合構造となっており、この嵌合構造が溝部５２，６２内で良好に維持できるので、水密性を更に向上できる。
【００５２】
また、図２，図３，図９のように、防水ケース１０の鍔状に突き出た結合部２０の第１ケース２１の前面側段部には、図の縦方向に延びた薄肉突起部３８が両端に形成され、同様に、第２ケース２２の背面側段部には、図の縦方向に延びた薄肉突起部３９が両端に形成されている。これらの薄肉突起部３８、３９は、結合部２０が外側部材の溝部５２，６２内に位置するときに、同じく溝部５２，６２内にあることで、結合部２０と溝部５２，６２とが隙間なく密着するので、外側部材による結合部２０の固定が一層確実となる。
【００５３】
また、上述の防水ケース１０内にレンズ付きフィルムユニットを収容することで防水カメラを構成できるが、この防水カメラによれば、上述のように防水ケース１０の水密性が向上するので、水中や水辺等で使用しても内部のカメラ機能を損なうことなく安定して続けて使用でき、特に、水深の深い（例えば水深５０ｍ程度）水中で使用可能に構成できる。
【００５４】
なお、防水ケース１０を構成する材料としては、ＰＳあるいはＡＳを用いることができる。また、ＰＳは日焼け止め溶液や日焼け止めクリーム等で曇りが発生することがあるので曇りが発生しないＡＳとするのが望ましい。
【００５５】
また、外側部材５１、６１を構成する材料は、強度が強いＡＢＳとするのが望ましい。また、外側部材５１、６１は透明で有る必要はなく、適宜の色に着色してもよい。
【００５６】
以上のように本発明を実施の形態により説明したが、本発明はこれらに限定されるものではなく、本発明の技術的思想の範囲内で各種の変形が可能である。例えば、防水ケース１０内にはカメラを収容するように構成できるし、防水ケース１０では例えば絞り操作部材を省略してもよく、また、ストロボオンオフ操作部材を設けてもよい。
【００５７】
【発明の効果】
本発明によれば、２つのケースの結合部における水密性を向上させたカメラ用防水ケース及び防水カメラを提供できる。
【図面の簡単な説明】
【図１】本実施の形態による、レンズ付きフィルムユニットを収容するカメラ用防水ケースを示す斜視図である。
【図２】図１のカメラ用防水ケースを外側部材が離れた状態で示す前面側から見た分解斜視図である。
【図３】図２と同じく背面側から見た分解斜視図である。
【図４】図１の防水ケースの第１ケースを内面側から見た図である。
【図５】図１の防水ケースの第２ケースを内面側から見た図である。
【図６】図４の第１ケースと図５の第２ケースとを結合したときの結合部の断面図である。
【図７】図１乃至図３の第２外側部材６１の第２係合部６３を示す部分斜視図である。
【図８】図１の係合部６０の係合状態を縦方向に切断し内面側から見た図である。
【図９】図１乃至図３の防水ケースを第１のケース前面側から見た部分斜視図である。
【図１０】図１のように外側部材を防水ケースに取付けたときの要部断面図である。
【符号の説明】
１・・・カメラ用防水ケース
１０・・・防水ケース
２０・・・結合部
２１・・・第１ケース
２２・・・第２ケース
２３・・・鍔部
２４・・・凸部
２７・・・鍔部
２８・・・溝
３０・・・水密部材
５１・・・第１外側部材
５２・・・溝部
５３・・・第１係合部
６０・・・係合部
６１・・・第２外側部材
６２・・・溝部
６３・・・第２係合部
３１，３２，３３，３４・・・案内溝
７１，７２，７３，７４・・・案内凸部
【図１】
2004117631.tif 000003
【図２】
2004117631.tif 000004
【図３】
2004117631.tif 000005
【図４】
2004117631.tif 000006
【図５】
2004117631.tif 000007
【図６】
2004117631.tif 000008
【図７】
2004117631.tif 000009
【図８】
2004117631.tif 000010
【図９】
2004117631.tif 000011
【図１０】
2004117631.tif 000012